(57)【要約】【課題】機能の異なる複数のランプユニットの点消灯を制御する点消灯制御手段または異常を判定する異常判定手段への信号入力数を低減すること。【解決手段】信号入力端子９０〜９８に入力されるデジタル信号を、５ビットの分解能を有するＤ／Ａ変換回路６８でアナログ信号に変換してＡ／Ｄ入力端子１６４に入力し、開放検出回路４２〜５２の出力によるデジタル信号を、６ビットの分解能を有するＤ／Ａ変換回路７０でアナログ信号に変換してＡ／Ｄ入力端子１９２に入力し、短絡・地絡検出回路５４〜６４の出力によるデジタル信号を、３ビットの分解能を有するＤ／Ａ変換回路７２、７４でアナログ信号に変換してＡ／Ｄ入力端子２０８、２２４に入力し、マイコン７６が、Ａ／Ｄ入力端子１６４、１９２、２０８、２２４の電圧を判別して、ランプユニット１２〜２２の点消灯を制御し、異常の有無を判定する。【選択図】図１
2010015752.tif 000002
【特許請求の範囲】
【請求項１】
機能の異なる複数のランプユニットの点灯を制御する車両用灯具の点灯制御装置において、
前記各ランプユニットの異常を検出する異常検出手段と、
前記異常検出手段の信号を正常／異常の２値信号として、ランプ機能の数に対応する複数ビットのデジタル信号をアナログ信号へ変換するデジタル−アナログ変換手段と、
前記アナログ変換された信号に基づき前記各ランプユニットの異常を判定する異常判定手段と、
を備えてなる車両用灯具の点灯制御装置。
【請求項２】
機能の異なる複数のランプユニットの点灯を制御する車両用灯具の点灯制御装置において、
外部から送信されるランプユニットの点消灯信号を点灯／消灯の２値信号として、ランプ機能の数に対応する複数ビットのデジタル信号をアナログ信号へ変換するデジタル−アナログ変換手段と、
前記アナログ変換された信号に基づき前記各ランプユニットの点消灯を制御する点消灯制御手段と、
を備えてなる車両用灯具の点灯制御装置。
【請求項３】
請求項１に記載の車両用灯具の点灯制御装置において、前記異常検出手段として、前記各ランプユニットの異常をその種類に分けて検出する複数の異常検出手段を備え、前記デジタル−アナログ変換手段として、前記複数の異常検出手段の出力によるデジタル信号をそれぞれアナログ信号に変換する複数のデジタル−アナログ変換手段を備え、前記異常判定手段は、前記複数のデジタル−アナログ変換手段の出力信号に基づき前記各ランプユニットの異常をその種類に分けて判定してなることを特徴とする車両用灯具の点灯制御装置。
【発明の詳細な説明】
【技術分野】
【０００１】
本発明は、車両用灯具の点灯制御装置に係り、特に、半導体発光素子で構成された半導体光源の点灯を制御するように構成された車両用灯具の点灯制御装置に関する。
【背景技術】
【０００２】
従来、車両用灯具として、ＬＥＤ(Ｌｉｇｈｔ  Ｅｍｉｔｔｉｎｇ  Ｄｉｏｄｅ）などの半導体発光素子を光源に用いたものが知られており、この種の車両用灯具には、ＬＥＤの点灯を制御するための点灯制御回路が実装されている。
【０００３】
点灯制御回路として、例えば、並列接続された複数のＬＥＤをそれぞれスイッチングレギュレータに接続し、各ＬＥＤにそれぞれシリーズレギュレータを設けたものが提案されている（特許文献１参照）。この点灯制御回路は、各シリーズレギュレータによって各ＬＥＤに規定の電流が流れるように制御するとともに、シリーズレギュレータの制御状態に応じてスイッチングレギュレータが各ＬＥＤに対する出力電圧を最大電圧に制御し、いずれかのＬＥＤの異常が検出されたときには、スイッチングレギュレータの動作を停止するようになっている。
【特許文献１】特開２００６−１０３４７７号公報（第５頁から第８頁、図１参照）
【発明の開示】
【発明が解決しようとする課題】
【０００４】
従来技術においては、制御回路により、各ＬＥＤの異常の有無を監視し、いずれかのＬＥＤで、異常、例えば、ＬＥＤのカソード側の地絡に伴う異常が生じたときには、制御回路によってスイッチングレギュレータの動作を停止するようになっている。この際、各シリーズレギュレータのスイッチング素子として、各ＬＥＤのカソードに接続されたＮＭＯＳトランジスタのゲート電圧を、それぞれ信号線（ライン）を介して制御回路に取り込み、制御回路において、いずれかの信号線の電圧が異常になったか否かを判定するようになっている。
【０００５】
すなわち、従来技術では、制御回路において、各ＬＥＤの異常の有無を監視するにも、ＬＥＤの数だけ信号線が必要となる。
【０００６】
また、各ＬＥＤを機能が異なるランプ、例えば、ロービームランプ、ハイビームランプ、コーナーリングランプ、クリアランスランプ、ベンディングランプ等として用い、各ランプをそれぞれ駆動回路を介してスイッチングレギュレータに並列に接続し、各ランプの点消灯を指示するための信号線をそれぞれ制御回路に取り込む構成を採用することができる。しかし、この構成では、制御回路において、各信号線の電圧を判別し、この判別結果を基に各駆動回路の駆動を制御することで、各ランプの点消灯を制御することはできるが、ランプ機能の数だけ、各ランプの点消灯を指示するための信号線が必要となる。
【０００７】
この場合、各ランプの異常の有無を制御回路で監視する構成を採用すると、各ランプの異常の有無を検出するための信号線として、ランプ機能の数だけさらに必要となる。
【０００８】
また、各ランプの異常の有無を制御回路で監視するに際して、各ランプの地絡に伴う異常の他に、例えば、各ランプの開放に伴う異常の有無を監視する構成を採用すると、各ランプの開放に伴う異常の有無を監視するための信号線として、ランプ機能の数だけさらに必要になる。すなわち、各ランプの異常の有無を監視する場合、異常の種類が多くなる程、異常の種類の数だけ信号線が必要となる。
【０００９】
一方、制御回路をマイコンで構成すると、マイコンとしては、各信号線をマイコンに接続するための入力端子が、信号線の数だけ必要となり、入力端子が多くなる程、高性能で高価なものが必要となる。
【００１０】
本発明は、前記従来技術の課題に鑑みて為されたものであり、その目的は、機能の異なる複数のランプユニットの点消灯を制御する点消灯制御手段または機能の異なる複数のランプユニットの異常を判定する異常判定手段への信号入力数を低減することができる車両用灯具の点灯制御装置を提供することにある。
【課題を解決するための手段】
【００１１】
前記目的を達成するために、請求項１に係る車両用灯具の点灯制御装置においては、機能の異なる複数のランプユニットの点灯を制御する車両用灯具の点灯制御装置において、前記各ランプユニットの異常を検出する異常検出手段と、前記異常検出手段の信号を正常／異常の２値信号として、ランプ機能の数に対応する複数ビットのデジタル信号をアナログ信号へ変換するデジタル−アナログ変換手段と、前記アナログ変換された信号に基づき前記各ランプユニットの異常を判定する異常判定手段と、を備えてなる構成とした。
【００１２】
（作用）各ランプユニットの異常を検出するに際して、異常検出手段から、各ランプユニットの信号を正常／異常の２値信号であって、ランプ機能の数に対応するデジタル信号をデジタル−アナログ変換手段に取り込み、当該デジタル−アナログ変換手段で取り込んだデジタル信号を複数ビットの分解能でアナログ信号に変換し、変換されたアナログ信号を異常判定手段に入力し、異常判定手段が、入力されたアナログ信号に基づいて各ランプユニットの異常を判定することとしている。
【００１３】
すなわち、各ランプユニットの数に対応した正常／異常の２値信号を全て異常判定手段に入力することなく、各ランプユニットの数に対応した正常／異常の２値信号を複数ビットの分解能でアナログ信号に変換し、変換された単一のアナログ信号を異常判定手段に入力するだけで、各ランプユニットの異常を判定することができる。このため、異常判定手段への信号入力数を少なくすることができる。
【００１４】
請求項２に係る車両用灯具の点灯制御装置においては、機能の異なる複数のランプユニットの点灯を制御する車両用灯具の点灯制御装置において、外部から送信されるランプユニットの点消灯信号を点灯／消灯の２値信号として、ランプ機能の数に対応する複数ビットのデジタル信号をアナログ信号へ変換するデジタル−アナログ変換手段と、前記アナログ変換された信号に基づき前記各ランプユニットの点消灯を制御する点消灯制御手段と、を備えてなる構成とした。
【００１５】
（作用）各ランプユニットの点消灯を制御するに際して、外部から送信されるランプユニットの点消灯信号を点灯／消灯の２値信号であって、ランプ機能の数に対応するデジタル信号としてデジタル−アナログ変換手段に取り込み、当該デジタル−アナログ変換手段で取り込んだデジタル信号を複数ビットの分解能でアナログ信号に変換し、変換されたアナログ信号を点消灯制御手段に入力し、点消灯制御手段が、入力されたアナログ信号に基づいて各ランプユニットの点消灯を制御することとしている。
【００１６】
すなわち、各ランプ機能の数に対応した点消灯信号を全て点消灯制御手段に入力することなく、各ランプ機能の数に対応した点消灯信号を複数ビットの分解能でアナログ信号に変換し、変換された単一のアナログ信号を点消灯制御手段に入力するだけで、各ランプユニットの点消灯を制御することができる。このため、点消灯制御手段への信号入力数を少なくすることができる。
【００１７】
請求項３に係る車両用灯具の点灯制御装置においては、請求項１に記載の車両用灯具の点灯制御装置において、前記異常検出手段として、前記各ランプユニットの異常をその種類に分けて検出する複数の異常検出手段を備え、前記デジタル−アナログ変換手段として、前記複数の異常検出手段の出力によるデジタル信号をそれぞれアナログ信号に変換する複数のデジタル−アナログ変換手段を備え、前記異常判定手段は、前記複数のデジタル−アナログ変換手段の出力信号に基づき前記各ランプユニットの異常をその種類に分けて判定してなる構成とした。
【００１８】
（作用）各ランプユニットの異常を判定するに際して、各ランプユニットの異常の種類に応じて複数の異常検出手段を設け、各異常検出手段の出力によるデジタル信号を複数のデジタル−アナログ変換手段でそれぞれアナログ信号に変換し、変換されたアナログ信号をそれぞれ点消灯制御手段に入力し、点消灯制御手段が、入力された各アナログ信号に基づいて各ランプユニットの異常をその種類に分けて判定することとしている。
【００１９】
すなわち、各ランプユニットの数に対応した正常／異常の２値信号を、その異常の種類について全て異常判定手段に入力することなく、各ランプユニットの数に対応した正常／異常の２値信号を、異常の種類毎に複数ビットの分解能でアナログ信号に変換し、変換されたアナログ信号を異常の種類毎に異常判定手段に入力するだけで、各ランプユニットの異常をその種類に分けて判定することができる。このため、各ランプユニットの異常を複数種類に分けて検出する場合でも、異常判定手段への信号入力数を少なくすることができる。
【００２０】
また、各ランプユニットの異常の種類に応じて複数のデジタル−アナログ変換手段を設け、各デジタル−アナログ変換手段により変換されたアナログ信号をそれぞれ異常判定手段に入力する構成を採用することで、単一のデジタル−アナログ変換手段で複数種類の異常に関するデジタル信号をアナログ信号に変換するときよりも、種類の異なる異常をより正確に判定することができる。
【発明の効果】
【００２１】
請求項１に係る車両用灯具の点灯制御装置によれば、異常判定手段への信号入力数を少なくすることができ、コスト低減に寄与することができる。
【００２２】
請求項２に係る車両用灯具の点灯制御装置によれば、点消灯制御手段への信号入力数を少なくすることができ、コスト低減に寄与することができる。
【００２３】
請求項３に係る車両用灯具の点灯制御装置によれば、各ランプユニットの異常を複数種類に分けて検出する場合でも、異常判定手段への信号入力数を少なくすることができる。
【発明を実施するための最良の形態】
【００２４】
以下、本発明の一実施形態を図面に基づいて説明する。図１は、本発明の一実施例を示す車両用発光装置のブロック構成図、図２は、Ｄ／Ａ変換回路の回路構成図である。
【００２５】
図１において、車両用灯具を構成する車両用発光装置１０は、複数のランプユニット１２〜２２と、各ランプユニット１２〜２２の点灯を制御する車両用灯具の点灯制御装置２４を備えている。
【００２６】
ランプユニット１２〜２２は、例えば、半導体光源としてのＬＥＤ１〜ＬＥＤ６で構成されている。ＬＥＤ１〜ＬＥＤ６は、機能の異なるランプユニットとして構成され、例えば、ＬＥＤ１は、＃１のロービーム用ランプユニット（Ｌｏｗ１）１２を構成し、ＬＥＤ２は、＃２のロービービ用ランプユニット（Ｌｏｗ２）１４を構成し、ＬＥＤ３は、ハイビーム用ランプユニット（Ｈｉｇｈ）１６を構成し、ＬＥＤ４は、ＤＲＬ（Ｄａｙｔｉｍｅ  Ｒｕｎｎｉｎｇ  Ｌａｍｐ）用ランプユニット１８を構成し、ＬＥＤ５は、ＣＬ（Ｃｏｒｎｅｒｉｎｇ  Ｌａｍｐ）用ランプユニット２０を構成し、ＬＥＤ６は、ターンシグナルランプ（ＴＵＲＮ）用ランプユニット２２を構成する。
【００２７】
ランプユニット１２〜２２に用いるＬＥＤ１〜ＬＥＤ６としては、単一のものに限らず、互いに直列に接続された複数個のものを用いたり、互いに直列に接続された複数個のものを光源ブロックとして、複数個の光源ブロックを並列接続したものを用いたりすることもできる。また、ランプユニットとしては、ＣＬＬ（Ｃｌｅａｒａｎｃｅ  Ｌａｍｐ）、ＦＯＧ（Ｆｏｇ  Ｌａｍｐ）、ＢＬ（Ｂｅｎｄｉｎｇ  Ｌａｍｐ）などを用いることもできる。
【００２８】
車両用灯具の点灯制御装置２４は、スイッチ回路２６、スイッチングレギュレータ２８、電流駆動回路３０〜４０、開放検出回路４２〜５２、短絡・地絡検出回路５４〜６４、保護回路６６、Ｄ／Ａ（Ｄｉｇｉｔａｌ／Ａｎａｌｏｇ）変換回路６８〜７４、マイコン７６を備え、マイコン７６は、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、入出力インターフェースなどを備えたマイクロコンピュータで構成されている。
【００２９】
スイッチ回路２６は、ＰＭＯＳトランジスタ７８、ＮＰＮトランジスタ８０、ダイオードＤ１〜Ｄ５、ツェナーダイオードＺＤ１、抵抗Ｒ１〜Ｒ５を備えて構成されている。Ｄ６は、ＰＭＯＳトランジスタ７８の寄生ダイオードである。
【００３０】
ＰＭＯＳトランジスタ７８は、スイッチ動作を実行するスイッチ素子として構成され、ソースが電源端子８２と電源スイッチ８４を介して車載バッテリ（直流電源）８６のプラス端子に接続され、ドレインがスイッチングレギュレータ２８に接続されている。ＰＭＯＳトランジスタ７８のソース・ゲート間には、耐圧を確保するためのツェナーダイオードＺＤ１が並列接続されている。
【００３１】
ＮＰＮトランジスタ８０は、コレクタが抵抗Ｒ４を介してＰＭＯＳトランジスタ７８のゲートに接続され、ベースが抵抗Ｒ２、Ｒ１を介してダイオードＤ１〜Ｄ５のカソードにそれぞれ接続され、エミッタが電源端子８８を介して車載バッテリ８６のマイナス端子に接続されて、接地されている。
【００３２】
ダイオードＤ１〜Ｄ５は、ＯＲ回路を構成し、ダイオードＤ１〜Ｄ５のアノードはそれぞれ信号入力端子９０〜９８に接続されている。信号入力端子９０〜９８には、外部の電子制御ユニット（ＥＣＵ）から送信される信号、例えば、ランプユニット１２〜２２の点灯または消灯を指示する点消灯信号が点灯／消灯の２値信号（デジタル信号）として入力される。
【００３３】
例えば、信号入力端子９０には、ランプユニット（ＬＯＷ１、２）１２、１４の点灯時に、ランプユニット１２、１４の点灯を指示する点灯信号としてハイレベルの信号が入力され、ランプユニット１２、１４の消灯時には、ランプユニット１２、１４の消灯を指示する消灯信号としてローレベルの信号が入力される。
【００３４】
また、信号入力端子９２には、ランプユニット（Ｈｉｇｈ）１６の点灯時に、ランプユニット１６の点灯を指示する点灯信号としてハイレベルの信号が入力され、ランプユニット１６の消灯時には、ランプユニット１６の消灯を指示する消灯信号としてローレベルの信号が入力される。
【００３５】
同様に、信号入力端子９４には、ランプユニット（ＤＲＬ）１８の点灯時に、ランプユニット１８の点灯を指示する点灯信号としてハイレベルの信号が入力され、ランプユニット１８の消灯時には、ランプユニット１８の消灯を指示する消灯信号としてローレベルの信号が入力される。
【００３６】
同様に、信号入力端子９６には、ランプユニット（ＣＬ）２０の点灯時に、ランプユニット２０の点灯を指示する点灯信号としてハイレベルの信号が入力され、ランプユニット２０の消灯時には、ランプユニット２０の消灯を指示する消灯信号としてローレベルの信号が入力される。
【００３７】
同様に、信号入力端子９８には、ランプユニット（ＴＵＲＮ）２２の点灯時に、ランプユニット２２の点灯を指示する点灯信号としてハイレベルの信号が入力され、ランプユニット２２の消灯時には、ランプユニット２２の消灯を指示する消灯信号としてローレベルの信号が入力される。
【００３８】
信号入力端子９０〜９８のうちいずれかにハイレベルの信号が入力されるとともに、電源スイッチ８４がオンになると、ダイオードＤ１〜Ｄ５のいずれかが導通して、ＮＰＮトランジスタ８０がオンになる。ＮＰＮトランジスタ８０がオンになると、ＰＭＯＳトランジスタ７８のゲートがＮＰＮトランジスタ８０と抵抗Ｒ４を介して接地され、ＰＭＯＳトランジスタ７８がオンになる。ＰＭＯＳトランジスタ７８がオンになると、車載バッテリ８６からの直流電力（直流電流）がＰＭＯＳトランジスタ７８を介してスイッチングレギュレータ２８に供給される。
【００３９】
スイッチングレギュレータ２８は、ＮＭＯＳトランジスタ１００、１０２、制御回路１０４、トランスＴ１、コンデンサＣ１、Ｃ２を備えて構成されている。ダイオードＤ７は、ＮＭＯＳトランジスタ１０２の寄生ダイオードである。トランスＴ１の一次側には、コンデンサＣ１が並列に接続されていると共に、ＮＭＯＳトランジスタ１００が直列に接続されている。トランスＴ１の二次側には、コンデンサＣ２が並列に接続されていると共に、ＮＭＯＳトランジスタ１０２が直列に接続されている。ＮＭＯＳトランジスタ１００、１０２のゲートはそれぞれ制御回路１０４に接続されている。
【００４０】
制御回路１０４は、マイコン７６の制御信号端子１０５からオン信号を受けたときに、スイッチング信号を生成し、生成したスイッチング信号をＮＭＯＳトランジスタ１００、１０２のゲートに出力する。スイッチング信号に応答して、ＮＭＯＳトランジスタ１００がオンになると、ＰＭＯＳトランジスタ７８からの直流電流がトランスＴ１の一次側に流れ、トランスＴ１の一次側に電磁エネルギーが蓄積される。
【００４１】
一方、スイッチング信号に応答して、ＮＭＯＳトランジスタ１００がオフになると、トランスＴ１の一次側に蓄積された電磁エネルギーがトランスＴ１の二次側に放出される。このとき、スイッチング信号に応答して、ＮＭＯＳトランジスタ１０２がオンになると、トランスＴ１の二次側から電流駆動回路３０〜４０に直流電流が供給される。
【００４２】
電流駆動回路３０〜４０は、入力側がスイッチングレギュレータ２８の出力側に並列接続され、出力側が出力端子１１８〜１４０を介してランプユニット１２〜２２の両端に接続されている。
【００４３】
電流駆動回路３０〜４０は、マイコン７６の制御信号端子１０６〜１１６からオン信号を受けたことを条件に、オンになるスイッチング素子、例えば、ＮＭＯＳトランジスタ（図示せず）を備え、このＮＭＯＳトランジスタからランプユニット１２〜２２にそれぞれ規定の電流を供給し、ランプユニット１２〜２２を点灯するようになっている。
【００４４】
この際、ランプユニット１２〜２２の異常の有無が開放検出回路４２〜５２と短絡・地絡検出回路５４〜６４によって監視されている。
【００４５】
開放検出回路４２〜５２は、ランプユニット１２〜２２の異常として、ランプユニット１２〜２２が開放状態になったか否かを検出し、この検出結果として、正常／異常の２値信号（デジタル信号）を出力する第１の異常検出手段として構成されている。
【００４６】
具体的には、開放検出回路４２〜５２は、電流駆動回路３０〜４０の出力端子１１８、１２０、１２２、１２４、１２６、１２８、１３０、１３２、１３４、１３６、１３８、１４０が開放（オープン）になったことを検出したときに、また、ＬＥＤ１〜６がオープン故障になったことを検出したときに、ハイレベルの信号をＤ／Ａ変換回路７０に出力し、それ以外のとき（ランプユニット１２〜２２が正常状態にあるとき）にはローレベルの信号をＤ／Ａ変換回路７０に出力する。
【００４７】
一方、短絡・地絡検出回路５４〜５８は、ランプユニット１２〜１６の異常として、ランプユニット１２〜１６が短絡または地絡したか否かを検出し、この検出結果として、正常／異常の２値信号（デジタル信号）を出力する第２の異常検出手段として構成されている。
【００４８】
具体的には、短絡・地絡検出回路５４〜５８は、ＬＥＤ１〜ＬＥＤ３の両端が短絡したこと、または電流駆動回路３０〜４０の出力端子１１８、１２２、１２６とＬＥＤ１〜ＬＥＤ３のアノードとを結ぶラインが地絡したことを検出したときに、ハイレベルの信号をＤ／Ａ変換回路７２に出力し、それ以外のとき（ランプユニット１２〜１６が正常状態にあるとき）にはローレベルの信号をＤ／Ａ変換回路７２に出力する。
【００４９】
また、短絡・地絡検出回路６０〜６４は、ランプユニット１８〜２２の異常として、ランプユニット１８〜２２が短絡または地絡したか否かを検出し、この検出結果として、正常／異常の２値信号（デジタル信号）を出力する第３の異常検出手段として構成されている。
【００５０】
具体的には、短絡・地絡検出回路６０〜６４は、ＬＥＤ４〜ＬＥＤ６の両端が短絡したこと、または電流駆動回路３０〜４０の出力端子１３０、１３４、１３８とＬＥＤ４〜ＬＥＤ６のアノードとを結ぶラインが地絡したことを検出したときに、ハイレベルの信号をＤ／Ａ変換回路７４に出力し、それ以外のとき（ランプユニット１８〜２２が正常状態にあるとき）にはローレベルの信号をＤ／Ａ変換回路７４に出力する。
【００５１】
Ｄ／Ａ変換回路７０〜７４は、Ｄ／Ａ変換回路６８とともに、ランプ機能の数に対応する複数ビットのデジタル信号をアナログ信号へ変換するデジタル−アナログ変換手段として構成されており、Ｄ／Ａ変換回路６８には、保護回路６６を介して、信号入力端子９０〜９８から、デジタルの点消灯信号が入力されている。
【００５２】
保護回路６６は、抵抗Ｒ６〜Ｒ１０、ダイオードＤ８〜Ｄ１７を備え、抵抗Ｒ６〜Ｒ１０は、Ｄ／Ａ変換回路６８の入力側と信号入力端子９０〜９８との間に直列に挿入されている。ダイオードＤ８〜Ｄ１２とダイオードＤ１３〜Ｄ１７はそれぞれ直列接続され、各直列接続点がＤ／Ａ変換回路６８の入力側に接続されている。
【００５３】
保護回路６６は、信号入力端子９０〜９８のいずれかに設定電圧よりも高い電圧（プラスの電圧）が印加されたときに、ダイオードＤ８〜Ｄ１２のいずれかが導通し、Ｄ／Ａ変換回路６８の入力側に異常電圧が印加されるのを防止するようになっている。また、保護回路６６は、信号入力端子９０〜９８のいずれかに設定電圧よりも低い電圧（マイナスの電圧）が印加されたときには、ダイオードＤ１３〜Ｄ１７のいずれかが導通し、Ｄ／Ａ変換回路６８の入力側に異常電圧が印加されるのを防止するようになっている。なお、保護回路６６を用いることなく、信号入力端子９０〜９８をＤ／Ａ変換回路６８の入力側に直接接続することもできる。
【００５４】
Ｄ／Ａ変換回路６８は、図２（ａ）に示すように、抵抗Ｒ１１〜Ｒ３５、ＮＰＮトランジスタ１４２〜１５０を備え、機能の異なる複数のランプユニット１２〜２２の数に対応する複数ビットのデジタル信号であって、外部の電子制御ユニットから送信された５種類の点消灯信号を５ビットの分解能でアナログ信号に変換するデジタル−アナログ変換手段として構成されている。
【００５５】
抵抗Ｒ１１〜Ｒ１５は、その一端側が、それぞれ入力端子１５２〜１６０に接続され、抵抗Ｒ１１〜Ｒ１５と抵抗Ｒ１６〜Ｒ２０との接続点がＮＰＮトランジスタ１４２〜１５０のベースに接続されている。入力端子１５２〜１６０は、保護回路６６の抵抗Ｒ６〜Ｒ１０を介して信号入力端子９０〜９８に接続されている。
【００５６】
抵抗Ｒ２１〜Ｒ２５の一端側は基準電圧Ｖｒｅｆに接続され、抵抗Ｒ２１〜Ｒ２５と抵抗Ｒ２６〜Ｒ３０との接続点がＮＰＮトランジスタ１４２〜１５０のコレクタに接続されている。抵抗Ｒ３１〜Ｒ３５は、互いに直列接続されて、抵抗Ｒ２６〜Ｒ３０とともに、「Ｒ−２Ｒ」のはしご回路を構成し、抵抗Ｒ３１の一端側が出力端子１６２を介してマイコン７６のＡ／Ｄ入力端子１６４に接続され、抵抗Ｒ３５の一端側が接地されている。
【００５７】
「Ｒ−２Ｒ」のはしご回路を構成する、抵抗Ｒ２６〜Ｒ３０と抵抗Ｒ３１〜Ｒ３５の抵抗値として、抵抗Ｒ３１〜Ｒ３４の抵抗値を「Ｒ」としたときには、抵抗Ｒ２６〜Ｒ３０と抵抗Ｒ３５の抵抗値は「２Ｒ」に設定されている。この場合、抵抗Ｒ２１〜Ｒ２５の抵抗値を「Ｒ」よりも十分小さくすることで、Ｄ／Ａ変換時の電圧誤差を小さくすることができる。
【００５８】
ここで、信号入力端子９０に入力されたハイレベルの点灯信号が保護回路６６を介して、Ｄ／Ａ変換回路６８の入力端子１５２に入力されると、ＮＰＮトランジスタ１４２がオンになり、Ｄ／Ａ変換回路６８の出力端子１６２からは、１５／３２Ｖｒｅｆの電圧が出力される。
【００５９】
また、信号入力端子９２に入力されたハイレベルの点灯信号が保護回路６６を介して、Ｄ／Ａ変換回路６８の入力端子１５４に入力されると、ＮＰＮトランジスタ１４４がオンになり、Ｄ／Ａ変換回路６８の出力端子１６２からは、２３／３２Ｖｒｅｆの電圧が出力される。
【００６０】
同様に、信号入力端子９４に入力されたハイレベルの点灯信号が保護回路６６を介して、Ｄ／Ａ変換回路６８の入力端子１５６に入力されると、ＮＰＮトランジスタ１４６がオンになり、Ｄ／Ａ変換回路６８の出力端子１６２からは、２７／３２Ｖｒｅｆの電圧が出力される。
【００６１】
同様に、信号入力端子９６に入力されたハイレベルの点灯信号が保護回路６６を介して、Ｄ／Ａ変換回路６８の入力端子１５８に入力されると、ＮＰＮトランジスタ１４８がオンになり、Ｄ／Ａ変換回路６８の出力端子１６２からは、２９／３２Ｖｒｅｆの電圧が出力される。
【００６２】
同様に、信号入力端子９８に入力されたハイレベルの点灯信号が保護回路６６を介して、Ｄ／Ａ変換回路６８の入力端子１６０に入力されると、ＮＰＮトランジスタ１５０がオンになり、Ｄ／Ａ変換回路６８の出力端子１６２からは、３０／３２Ｖｒｅｆの電圧が出力される。
【００６３】
すなわち、Ｄ／Ａ変換回路６８は、入力端子１５２〜１６０にハイレベルの点灯信号が順番に入力されたときには、各ハイレベルの点灯信号に応答して、基準電圧Ｖｒｅｆを５ビットの分解能で分圧した電圧、１５／３２Ｖｒｅｆ、２３／３２Ｖｒｅｆ、２７／３２Ｖｒｅｆ、２９／３２Ｖｒｅｆ、３０／３２Ｖｒｅｆを出力端子１６２からマイコン７６のＡ／Ｄ入力端子１６４に順次出力することができる。
【００６４】
この際、マイコン７６は、Ａ／Ｄ入力端子１６４に入力された電圧をＡ／Ｄ変換部でデジタル信号に変換し、変換されたデジタル信号を基に各ランプユニット１２〜２２の点消灯を制御する点消灯制御手段として機能する。
【００６５】
例えば、マイコン７６は、Ａ／Ｄ入力端子１６４に、１５／３２Ｖｒｅｆの電圧が入力されたときには、ランプユニット（Ｌｏｗ１、２）１２、１４の点灯を指示する点灯信号（点灯指示情報）が入力された判断し、制御信号端子１０５、１０６、１０８からオン信号を出力し、スイッチングレギュレータ２８を作動させるとともに、電流駆動回路３０、３２を作動させ、ランプユニット（Ｌｏｗ１、２）１２、１４を点灯させる。
【００６６】
また、マイコン７６は、Ａ／Ｄ入力端子１６４に、２３／３２Ｖｒｅｆの電圧が入力されたときには、ランプユニット（Ｈｉｇｈ）１６の点灯を指示する点灯信号（点灯指示情報）が入力された判断し、制御信号端子１０５、１１０からオン信号を出力し、スイッチングレギュレータ２８を作動させるとともに、電流駆動回路３４を作動させ、ランプユニット（Ｈｉｇｈ）１６を点灯させる。
【００６７】
同様に、マイコン７６は、Ａ／Ｄ入力端子１６４に、２７／３２Ｖｒｅｆの電圧が入力されたときには、ランプユニット（ＤＲＬ）１８の点灯を指示する点灯信号（点灯指示情報）が入力された判断し、制御信号端子１０５、１１２からオン信号を出力し、スイッチングレギュレータ２８を作動させるとともに、電流駆動回路３６を作動させ、ランプユニット（ＤＲＬ）１８を点灯させる。
【００６８】
同様に、マイコン７６は、Ａ／Ｄ入力端子１６４に、２９／３２Ｖｒｅｆの電圧が入力されたときには、ランプユニット（ＣＬ）２０の点灯を指示する点灯信号（点灯指示情報）が入力された判断し、制御信号端子１０５、１１４からオン信号を出力し、スイッチングレギュレータ２８を作動させるとともに、電流駆動回路３８を作動させ、ランプユニット（ＣＬ）２０を点灯させる。
【００６９】
同様に、マイコン７６は、Ａ／Ｄ入力端子１６４に、３０／３２Ｖｒｅｆの電圧が入力されたときには、ランプユニット（ＴＵＲＮ）２２の点灯を指示する点灯信号（点灯指示情報）が入力された判断し、制御信号端子１０５、１１６からオン信号を出力し、スイッチングレギュレータ２８を作動させるとともに、電流駆動回路４０を作動させ、ランプユニット（ＴＵＲＮ）２２を点灯させる。
【００７０】
なお、入力端子１５２〜１６０のうち複数の入力端子にハイレベルの点灯信号が入力されたときには、ＮＰＮトランジスタ１４２〜１５０のうちオンになったＮＰＮトランジスタの数に応じた電圧が出力端子１６２から出力される。このため、マイコン７６は、Ａ／Ｄ入力端子１６４に入力された電圧のレベルを識別することで、機能の異なる複数のランプユニット、例えば、ランプユニット１２、１４とランプユニット２２を同時に点灯させることができる。
【００７１】
Ｄ／Ａ変換回路７０は、図２（ｂ）に示すように、抵抗Ｒ４１〜Ｒ７０、ＮＰＮトランジスタ１６６〜１７６を備え、機能の異なる複数のランプユニット１２〜２２の数に対応した複数ビットのデジタル信号であって、開放検出回路４２〜５２の出力による６個の開放検出信号を６ビットの分解能でアナログ信号に変換するデジタル−アナログ変換手段として構成されている。
【００７２】
抵抗Ｒ４１〜Ｒ４６は、その一端側が、それぞれ入力端子１７８〜１８８に接続され、抵抗Ｒ４１〜Ｒ４６と抵抗Ｒ４７〜Ｒ５２との接続点がＮＰＮトランジスタ１６６〜１７６のベースに接続されている。入力端子１７８〜１８８は、開放検出回路４２〜５２の出力端子に接続されている。
【００７３】
抵抗Ｒ５３〜Ｒ５８の一端側は基準電圧Ｖｒｅｆに接続され、抵抗Ｒ５３〜Ｒ５８と抵抗Ｒ５９〜Ｒ６４との接続点がＮＰＮトランジスタ１６６〜１７６のコレクタに接続されている。抵抗Ｒ６５〜Ｒ７０は、互いに直列接続されて、抵抗Ｒ５９〜Ｒ６４とともに、「Ｒ−２Ｒ」のはしご回路を構成し、抵抗Ｒ６５の一端側が出力端子１９０を介してマイコン７６のＡ／Ｄ入力端子１９２に接続され、抵抗Ｒ７０の一端側が接地されている。
【００７４】
「Ｒ−２Ｒ」のはしご回路を構成する、抵抗Ｒ５９〜Ｒ６４と抵抗Ｒ６５〜Ｒ７０の抵抗値として、抵抗Ｒ６５〜Ｒ６９の抵抗値を「Ｒ」としたときには、抵抗Ｒ５９〜Ｒ６４と抵抗Ｒ７０の抵抗値は「２Ｒ」に設定されている。この場合、抵抗Ｒ５３〜Ｒ５８の抵抗値を「Ｒ」よりも十分小さくすることで、Ｄ／Ａ変換時の電圧誤差を小さくすることができる。
【００７５】
ここで、開放検出回路４２から入力端子１７８にハイレベルの信号（開放検出信号）が入力されると、ＮＰＮトランジスタ１６６がオンになり、Ｄ／Ａ変換回路７０の出力端子１９０からは、３１／６４Ｖｒｅｆの電圧が出力される。
【００７６】
また、開放検出回路４４から入力端子１８０にハイレベルの信号（開放検出信号）が入力されると、ＮＰＮトランジスタ１６８がオンになり、Ｄ／Ａ変換回路７０の出力端子１９０からは、４７／６４Ｖｒｅｆの電圧が出力される。
【００７７】
同様に、開放検出回路４６から入力端子１８２にハイレベルの信号（開放検出信号）が入力されると、ＮＰＮトランジスタ１７０がオンになり、Ｄ／Ａ変換回路７０の出力端子１９０からは、５５／６４Ｖｒｅｆの電圧が出力される。
【００７８】
同様に、開放検出回路４８から入力端子１８４にハイレベルの信号（開放検出信号）が入力されると、ＮＰＮトランジスタ１７２がオンになり、Ｄ／Ａ変換回路７０の出力端子１９０からは、５９／６４Ｖｒｅｆの電圧が出力される。
【００７９】
同様に、開放検出回路５０から入力端子１８６にハイレベルの信号（開放検出信号）が入力されると、ＮＰＮトランジスタ１７４がオンになり、Ｄ／Ａ変換回路７０の出力端子１９０からは、６１／６４Ｖｒｅｆの電圧が出力される。
【００８０】
同様に、開放検出回路５２から入力端子１８８にハイレベルの信号（開放検出信号）が入力されると、ＮＰＮトランジスタ１７６がオンになり、Ｄ／Ａ変換回路７０の出力端子１９０からは、６２／６４Ｖｒｅｆの電圧が出力される。
【００８１】
すなわち、Ｄ／Ａ変換回路７０は、入力端子１７８〜１８８にハイレベルの信号が順番に入力されたときには、各ハイレベルの信号に応答して、基準電圧Ｖｒｅｆを６ビットの分解能で分圧した電圧、３１／６４Ｖｒｅｆ、４７／６４Ｖｒｅｆ、５５／６４Ｖｒｅｆ、５９／６４Ｖｒｅｆ、６１／６４Ｖｒｅｆ、６２／６４Ｖｒｅｆを出力端子１９０からマイコン７６のＡ／Ｄ入力端子１９２に順次出力することができる。
【００８２】
この際、マイコン７６は、Ａ／Ｄ入力端子１９２に入力された電圧をＡ／Ｄ変換部でデジタル信号に変換し、変換されたデジタル信号を基にランプユニット１２〜２２のいずれかで開放に伴う異常が発生したことを判定する異常判定手段として機能する。
【００８３】
例えば、マイコン７６は、Ａ／Ｄ入力端子１９２に、３１／６４Ｖｒｅｆの電圧が入力されたときには、ランプユニット（Ｌｏｗ１）１２で開放に伴う異常が発生したと判定し、制御信号端子１０６からオフ信号を出力し、電流駆動回路３０の動作を停止させる。
【００８４】
また、マイコン７６は、Ａ／Ｄ入力端子１９２に、４７／６４Ｖｒｅｆの電圧が入力されたときには、ランプユニット（Ｌｏｗ２）１４で開放に伴う異常が発生したと判定し、制御信号端子１０８からオフ信号を出力し、電流駆動回路３２の動作を停止させる。
【００８５】
同様に、マイコン７６は、Ａ／Ｄ入力端子１９２に、５５／６４Ｖｒｅｆの電圧が入力されたときには、ランプユニット（Ｈｉｇｈ）１６で開放に伴う異常が発生したと判定し、制御信号端子１１０からオフ信号を出力し、電流駆動回路３４の動作を停止させる。
【００８６】
同様に、マイコン７６は、Ａ／Ｄ入力端子１９２に、５９／６４Ｖｒｅｆの電圧が入力されたときには、ランプユニット（ＤＲＬ）１８で開放に伴う異常が発生したと判定し、制御信号端子１１２からオフ信号を出力し、電流駆動回路３６の動作を停止させる。
【００８７】
同様に、マイコン７６は、Ａ／Ｄ入力端子１９２に、６１／６４Ｖｒｅｆの電圧が入力されたときには、ランプユニット（ＣＬ）２０で開放に伴う異常が発生したと判定し、制御信号端子１１４からオフ信号を出力し、電流駆動回路３８の動作を停止させる。
【００８８】
同様に、マイコン７６は、Ａ／Ｄ入力端子１９２に、６２／６４Ｖｒｅｆの電圧が入力されたときには、ランプユニット（ＴＵＲＮ）２２で開放に伴う異常が発生したと判定し、制御信号端子１１６からオフ信号を出力し、電流駆動回路４０の動作を停止させる。
【００８９】
なお、入力端子１７８〜１８８のうち複数の入力端子にハイレベルの信号が入力されたときには、ＮＰＮトランジスタ１６６〜１７６のうちオンになったＮＰＮトランジスタの数に応じた電圧が出力端子１９０から出力される。このため、マイコン７６は、Ａ／Ｄ入力端子１９２に入力された電圧を識別することで、機能の異なる複数のランプユニット、例えば、ランプユニット１２とランプユニット２２で同時に開放に伴う異常が発生したことを判定することができる。
【００９０】
Ｄ／Ａ変換回路７２は、図２（ｃ）に示すように、抵抗Ｒ７１〜Ｒ８５、ＮＰＮトランジスタ１９４〜１９８を備え、機能の異なる複数のランプユニット１２〜１６の数に対応した複数ビットのデジタル信号であって、短絡・地絡検出回路５４〜５８の出力による３個の短絡・地絡検出信号を３ビットの分解能でアナログ信号に変換するデジタル−アナログ変換手段として構成されている。
【００９１】
抵抗Ｒ７１〜Ｒ７３は、その一端側が、それぞれ入力端子２００〜２０４に接続され、抵抗Ｒ７１〜Ｒ７３と抵抗Ｒ７４〜Ｒ７６との接続点がＮＰＮトランジスタ１９４〜１９８のベースに接続されている。入力端子２００〜２０４は、短絡・地絡検出回路５４〜５８の出力端子に接続されている。
【００９２】
抵抗Ｒ７７〜Ｒ７９の一端側は基準電圧Ｖｒｅｆに接続され、抵抗Ｒ７７〜Ｒ７９と抵抗Ｒ８０〜Ｒ８２との接続点がＮＰＮトランジスタ１９４〜１９８のコレクタに接続されている。抵抗Ｒ８３〜Ｒ８５は、互いに直列接続されて、抵抗Ｒ８０〜Ｒ８２とともに、「Ｒ−２Ｒ」のはしご回路を構成し、抵抗Ｒ８３の一端側が出力端子２０６を介してマイコン７６のＡ／Ｄ入力端子２０８に接続され、抵抗Ｒ８５の一端側が接地されている。
【００９３】
「Ｒ−２Ｒ」のはしご回路を構成する、抵抗Ｒ８０〜Ｒ８２と抵抗Ｒ８３〜Ｒ８５の抵抗値として、抵抗Ｒ８３、Ｒ８４の抵抗値を「Ｒ」としたときには、抵抗Ｒ８０〜Ｒ８２と抵抗Ｒ８５の抵抗値は「２Ｒ」に設定されている。この場合、抵抗Ｒ７７〜Ｒ７９の抵抗値を「Ｒ」よりも十分小さくすることで、Ｄ／Ａ変換時の電圧誤差を小さくすることができる。
【００９４】
ここで、短絡・地絡検出回路５４から入力端子２００にハイレベルの信号（短絡・地絡検出信号）が入力されると、ＮＰＮトランジスタ１９４がオンになり、Ｄ／Ａ変換回路７２の出力端子２０６からは、３／８Ｖｒｅｆの電圧が出力される。
【００９５】
また、短絡・地絡検出回路５６から入力端子２０２にハイレベルの信号（短絡・地絡検出信号）が入力されると、ＮＰＮトランジスタ１９６がオンになり、Ｄ／Ａ変換回路７２の出力端子２０６からは、５／８Ｖｒｅｆの電圧が出力される。
同様に、短絡・地絡検出回路５８から入力端子２０４にハイレベルの信号（短絡・地絡検出信号）が入力されると、ＮＰＮトランジスタ１９８がオンになり、Ｄ／Ａ変換回路７２の出力端子２０６からは、６／８Ｖｒｅｆの電圧が出力される。
【００９６】
すなわち、Ｄ／Ａ変換回路７２は、入力端子２００〜２０４にハイレベルの信号が順番に入力されたときには、各ハイレベルの信号に応答して、基準電圧Ｖｒｅｆを３ビットの分解能で分圧した電圧、３／８Ｖｒｅｆ、５／８Ｖｒｅｆ、６／８Ｖｒｅｆを出力端子２０６からマイコン７６のＡ／Ｄ入力端子２０８に順次出力することができる。
【００９７】
この際、マイコン７６は、Ａ／Ｄ入力端子２０８に入力された電圧をＡ／Ｄ変換部でデジタル信号に変換し、変換されたデジタル信号を基にランプユニット１２〜１６のいずれかで短絡・地絡に伴う異常が発生したことを判定する異常判定手段として機能する。
【００９８】
例えば、マイコン７６は、Ａ／Ｄ入力端子２０８に、３／８Ｖｒｅｆの電圧が入力されたときには、ランプユニット（Ｌｏｗ１）１２で短絡・地絡に伴う異常が発生したと判定し、制御信号端子１０６からオフ信号を出力し、電流駆動回路３０の動作を停止させる。
【００９９】
また、マイコン７６は、Ａ／Ｄ入力端子２０８に、５／８Ｖｒｅｆの電圧が入力されたときには、ランプユニット（Ｌｏｗ２）１４で短絡・地絡に伴う異常が発生したと判定し、制御信号端子１０８からオフ信号を出力し、電流駆動回路３２の動作を停止させる。
【０１００】
同様に、マイコン７６は、Ａ／Ｄ入力端子２０８に、６／８Ｖｒｅｆの電圧が入力されたときには、ランプユニット（Ｈｉｇｈ）１６で短絡・地絡に伴う異常が発生したと判定し、制御信号端子１１０からオフ信号を出力し、電流駆動回路３４の動作を停止させる。
【０１０１】
なお、入力端子２００〜２０４のうち複数の入力端子にハイレベルの信号が入力されたときには、ＮＰＮトランジスタ１９４〜１９８のうちオンになったＮＰＮトランジスタの数に応じた電圧が出力端子２０６から出力される。このため、マイコン７６は、Ａ／Ｄ入力端子２０８に入力された電圧のレベルを識別することで、機能の異なる複数のランプユニット、例えば、ランプユニット１２とランプユニット１６で同時に短絡・地絡に伴う異常が発生したことを判定することができる。
【０１０２】
Ｄ／Ａ変換回路７４は、図２（ｄ）に示すように、抵抗Ｒ９１〜Ｒ１０５、ＮＰＮトランジスタ２１０〜２１４を備え、機能の異なる複数のランプユニット２０〜２２の数に対応した複数ビットのデジタル信号であって、短絡・地絡検出回路６０〜６４の出力による３個の短絡・地絡検出信号を３ビットの分解能でアナログ信号に変換するデジタル−アナログ変換手段として構成されている。
【０１０３】
抵抗Ｒ９１〜Ｒ９３は、その一端側が、それぞれ入力端子２１６〜２２０に接続され、抵抗Ｒ９１〜Ｒ９３と抵抗Ｒ９４〜Ｒ９６との接続点がＮＰＮトランジスタ２１０〜２１４のベースに接続されている。入力端子２１６〜２２０は、短絡・地絡検出回路６０〜６４の出力端子に接続されている。
【０１０４】
抵抗Ｒ９７〜Ｒ９９の一端側は基準電圧Ｖｒｅｆに接続され、抵抗Ｒ９７〜Ｒ９９と抵抗Ｒ１００〜Ｒ１０２との接続点がＮＰＮトランジスタ２１０〜２１４のコレクタに接続されている。抵抗Ｒ１０３〜Ｒ１０５は、互いに直列接続されて、抵抗Ｒ１００〜Ｒ１０２とともに、「Ｒ−２Ｒ」のはしご回路を構成し、抵抗Ｒ１０３の一端側が出力端子２２２を介してマイコン７６のＡ／Ｄ入力端子２２４に接続され、抵抗Ｒ１０５の一端側が接地されている。
【０１０５】
「Ｒ−２Ｒ」のはしご回路を構成する、抵抗Ｒ１００〜Ｒ１０２と抵抗Ｒ１０３〜Ｒ１０５の抵抗値として、抵抗Ｒ１０３、Ｒ１０４の抵抗値を「Ｒ」としたときには、抵抗Ｒ１００〜Ｒ１０２と抵抗Ｒ１０５の抵抗値は「２Ｒ」に設定されている。この場合、抵抗Ｒ９７〜Ｒ９９の抵抗値を「Ｒ」よりも十分小さくすることで、Ｄ／Ａ変換時の電圧誤差を小さくすることができる。
【０１０６】
ここで、短絡・地絡検出回路６０から入力端子２１６にハイレベルの信号（短絡・地絡検出信号）が入力されると、ＮＰＮトランジスタ２１０がオンになり、Ｄ／Ａ変換回路７２の出力端子２２２からは、３／８Ｖｒｅｆの電圧が出力される。
【０１０７】
また、短絡・地絡検出回路６２から入力端子２１８にハイレベルの信号（短絡・地絡検出信号）が入力されると、ＮＰＮトランジスタ２１２がオンになり、Ｄ／Ａ変換回路７２の出力端子２２２からは、５／８Ｖｒｅｆの電圧が出力される。
【０１０８】
同様に、短絡・地絡検出回路６４から入力端子２２０にハイレベルの信号（短絡・地絡検出信号）が入力されると、ＮＰＮトランジスタ２１４がオンになり、Ｄ／Ａ変換回路７２の出力端子２２２からは、６／８Ｖｒｅｆの電圧が出力される。
【０１０９】
すなわち、Ｄ／Ａ変換回路７４は、入力端子２１６〜２２０にハイレベルの信号が順番に入力されたときには、各ハイレベルの信号に応答して、基準電圧Ｖｒｅｆを３ビットの分解能で分圧した電圧、３／８Ｖｒｅｆ、５／８Ｖｒｅｆ、６／８Ｖｒｅｆを出力端子２２２からマイコン７６のＡ／Ｄ入力端子２２４に順次出力することができる。
【０１１０】
この際、マイコン７６は、Ａ／Ｄ入力端子２２４に入力された電圧をＡ／Ｄ変換部でデジタル信号に変換し、変換されたデジタル信号を基にランプユニット１８〜２２のいずれかで短絡・地絡に伴う異常が発生したことを判定する異常判定手段として機能する。
【０１１１】
例えば、マイコン７６は、Ａ／Ｄ入力端子２２４に、３／８Ｖｒｅｆの電圧が入力されたときには、ランプユニット（ＤＲＬ）１８で短絡・地絡に伴う異常が発生したと判定し、制御信号端子１１０からオフ信号を出力し、電流駆動回路３６の動作を停止させる。
【０１１２】
また、マイコン７６は、Ａ／Ｄ入力端子２２４に、５／８Ｖｒｅｆの電圧が入力されたときには、ランプユニット（ＣＬ）２０で短絡・地絡に伴う異常が発生したと判定し、制御信号端子１１４からオフ信号を出力し、電流駆動回路３８の動作を停止させる。
【０１１３】
同様に、マイコン７６は、Ａ／Ｄ入力端子２２４に、６／８Ｖｒｅｆの電圧が入力されたときには、ランプユニット（ＴＵＲＮ）２２で短絡・地絡に伴う異常が発生したと判定し、制御信号端子１１６からオフ信号を出力し、電流駆動回路４０の動作を停止させる。
【０１１４】
なお、入力端子２１６〜２２０のうち複数の入力端子にハイレベルの信号が入力されたときには、ＮＰＮトランジスタ２１０〜２１４のうちオンになったＮＰＮトランジスタの数に応じた電圧が出力端子２２２から出力される。このため、マイコン７６は、Ａ／Ｄ入力端子２２４に入力された電圧のレベルを識別することで、機能の異なる複数のランプユニット、例えば、ランプユニット１８とランプユニット２２で同時に短絡・地絡に伴う異常が発生したことを判定することができる。
【０１１５】
本実施例においては、ランプユニット１２〜２２の点消灯を制御するに際して、ランプユニット１２〜２２の点消灯を指示するデジタルの指示信号を、５ビットの分解能を有するＤ／Ａ変換回路６８でアナログ信号に変換し、変換されたアナログ信号をマイコン７６のＡ／Ｄ入力端子１６４に入力し、マイコン７６が、Ａ／Ｄ入力端子１６４に入力された電圧のレベルを判別し、この判別結果に従ってランプユニット１２〜２２の点消灯を制御することができる。
【０１１６】
ランプユニット１２〜２２の点消灯を制御するに際しては、マイコン７６と電子制御ユニットとの間で通信端子２２６、２２８を介して通信を行い、マイコン７６が、電子制御ユニットからの通信の内容（指示情報）を識別し、識別結果に従ってランプユニット１２〜２２の点消灯を制御することもできる。
【０１１７】
また、本実施例においては、ランプユニット１２〜２２の異常を判定するに際して、開放検出回路４２〜５２の出力による、デジタルの開放検出信号を、６ビットの分解能を有するＤ／Ａ変換回路７０でアナログ信号に変換し、変換されたアナログ信号をマイコン７６のＡ／Ｄ入力端子１９２に入力し、マイコン７６が、Ａ／Ｄ入力端子１９２に入力された電圧のレベルを判別することで、ランプユニット１２〜２２のいずれかに開放に伴う異常が生じたことを判定することができる。
【０１１８】
さらに、本実施例においては、ランプユニット１２〜２２の異常を判定するに際して、短絡・地絡検出回路５４〜５８または短絡・地絡検出回路６０〜６４の出力による、デジタルの短絡・地絡検出信号を、３ビットの分解能を有するＤ／Ａ変換回路７２またはＤ／Ａ変換回路７４でアナログ信号に変換し、変換されたアナログ信号をマイコン７６のＡ／Ｄ入力端子２０８またはＡ／Ｄ入力端子２２４に入力し、マイコン７６が、Ａ／Ｄ入力端子２０８またはＡ／Ｄ入力端子２２４に入力された電圧のレベルを判別することで、ランプユニット１２〜２２のいずれかに短絡・地絡に伴う異常が生じたことを判定することができる。
【０１１９】
この場合、短絡・地絡検出回路５４〜６４の出力による短絡・地絡検出信号を、６ビットの分解能を有する単一のＤ／Ａ変換回路でアナログ信号に変換するときよりも、ランプユニット１２〜２２のいずれかに短絡・地絡に伴う異常が生じたことをより正確に判定することができる。
【０１２０】
なお、ランプユニット１２〜２２の異常を判定するに際して、短絡・地絡に関して、３ビットの分解能を有するＤ／Ａ変換回路７２とＤ／Ａ変換回路７４を用いたが、正確な判定が必要でないときには、６ビットの分解能を有する単一のＤ／Ａ変換回路を用いることもできる。
【０１２１】
また、ランプユニット１２〜２２の開放に伴う異常に関して、６ビットの分解能を有するＤ／Ａ変換回路７０を用いたが、３ビットの分解能を有するＤ／Ａ変換回路を２個用いることもできる。
【０１２２】
さらに、ランプユニット１２〜２２の点消灯を制御するに際して、５ビットの分解能を有するＤ／Ａ変換回路６８を用いたが、機能の異なるランプユニットの数に応じて、４ビット以下の分解能を有するＤ／Ａ変換回路あるいは６ビット以上の分解能を有するＤ／Ａ変換回路を用いることができる。
【０１２３】
本実施例によれば、機能の異なる、５種類のランプユニット１２〜２２に対して、１個のＡ／Ｄ入力端子１６４をマイコン７６に設けるだけで、マイコン７６が、Ａ／Ｄ入力端子１６４に入力された電圧を基にランプユニット１２〜２２の点消灯を制御するようにしたため、ランプユニット１２〜２２の点消灯を指示する指示信号を入力するための入力端子の数やマイコン７６への指示信号の入力数を少なくすることができ、コスト低減に寄与することができる。
【０１２４】
また、本実施例によれば、機能の異なる、５種類のランプユニット１２〜２２に対して、１個のＡ／Ｄ入力端子１９２をマイコン７６に設けるだけで、マイコン７６が、Ａ／Ｄ入力端子１９２に入力された電圧を基にランプユニット１２〜２２のいずれかに開放に伴う異常が生じたことを判定するようにしたため、各ランプユニット１２〜２２の開放検出信号を入力するための入力端子の数やマイコン７６への開放検出信号の入力数を少なくすることができ、コスト低減に寄与することができる。
【０１２５】
さらに、本実施例によれば、機能の異なる、５種類のランプユニット１２〜２２に対して、２個のＡ／Ｄ入力端子２０８、２２４をマイコン７６に設けるだけで、マイコン７６が、Ａ／Ｄ入力端子２０８、２２４に入力された電圧を基にランプユニット１２〜２２のいずれかに短絡・地絡に伴う異常が生じたことを判定するようにしたため、各ランプユニット１２〜２２の短絡・地絡検出信号を入力するための入力端子の数やマイコン７６への短絡・地絡検出信号の入力数を少なくすることができ、コスト低減に寄与することができる。
【図面の簡単な説明】
【０１２６】
【図１】本発明の一実施例を示す車両用発光装置のブロック構成図である。
【図２】Ｄ／Ａ変換回路の回路構成図である。
【符号の説明】
【０１２７】
１０  車両用発光装置
１２〜２２  ランプユニット
２４  車両用灯具の点灯制御装置
２６  スイッチ回路
２８  スイッチングレギュレータ
３０〜４０  電流駆動回路
４２〜５２  開放検出回路
５４〜６４  短絡・地絡検出回路
６６  保護回路
６８〜７４  Ｄ／Ａ変換回路
７６  マイコン
【図１】
2010015752.tif 000003
【図２】
2010015752.tif 000004